(57)【要約】【課題】ベッドがローリングされた場合であっても、頭部が枕ごとずれるのが防止できると共に、ベッドが背上げされた場合であっても、頭部が枕に引っ張られて生じる引き連れ感を軽減することができる枕係止具を提供すること。【解決手段】ベッドのシーツ３４表面に設けられ、ベッドの横断方向に対向する端部が前記表面に止着されたベッド側止め帯３６と、前記ベッド側止め帯３６と前記シーツ３４との間隙に挿通され、挿通方向に対向する端部が、枕カバーのベッド載置側外周面に止着された枕側止め帯２０とからなり、枕側止め帯２０の幅とベッド側止め帯３６の非止着部分の長さとがほぼ同じ値に設定されていると共に、枕側止め帯２０の非止着部分の長さがベッド側止め帯の幅よりも長く設定されている。【選択図】　　　　　図４
2004097242.tif 000002
【特許請求の範囲】
【請求項１】
ベッドのマット上面またはシーツ表面に設けられ、ベッドの縦断方向または横断方向に対向する端部が前記マット上面またはシーツ表面に止着された第１の帯状部材と、
前記第１の帯状部材と前記マットまたはシーツとの間隙に挿通され、挿通方向に対向する端部が、枕または枕カバーのベッド載置側外周面に止着された第２の帯状部材とからなり、
前記両帯状部材の幅および非止着部分の長さが、枕の、ベッド縦断方向の変位を許容すると共に、横断方向の変位を規制するような値に設定されていることを特徴とする枕係止具。
【請求項２】
ベッド縦断方向に許容される前記変位の量として、ベッドを背上げした際に、少なくとも頭部がマットまたはシーツに対して変位する変位量分確保されていることを特徴とする請求項１記載の枕係止具。
【請求項３】
前記第２の帯状部材の一方端部が、縫合または接着によって前記外周面に止着されており、他方端部が着脱自在な止着手段によって前記外周面に止着されていることを特徴とする請求項１または２記載の枕係止具。
【請求項４】
ベッドのマット上面またはシーツ表面に設けられ、ベッドの縦断方向または横断方向に対向する端部が前記マット上面またはシーツ表面に止着された帯状部材からなるベッド側係止具と係合される枕側係止具であって、
前記帯状部材と前記マットまたはシーツとの間隙に挿通され、挿通方向に対向する端部が、枕または枕カバーのベッド載置側外周面に止着された帯状部材からなり、
当該枕側係止具である帯状部材の幅および非止着部分の長さが、前記ベッド側係止具である帯状部材の幅および非止着部分の長さとの関係において、枕の、ベッド縦断方向の変位を許容すると共に、横断方向の変位を規制するような値に設定されていることを特徴とする枕側係止具。
【請求項５】
枕または枕カバーのベッド載置側外周面に設けられ、ベッドの縦断方向または横断方向に対向する端部が前記外周面に止着された帯状部材からなる枕側係止具と係合されるベッド側係止具であって、
前記帯状部材と前記枕または前記枕カバーとの間隙に挿通され、挿通方向に対向する端部が、マット上面またはシーツ表面に止着された帯状部材からなり、
当該ベッド側係止具である帯状部材の幅および非止着部分の長さが、前記枕側係止具である帯状部材の幅および非止着部分の長さとの関係において、枕の、ベッド縦断方向の変位を許容すると共に、横断方向の変位を規制するような値に設定されていることを特徴とするベッド側係止具。
【請求項６】
第１の帯状部材の長さ方向に対向する端部を、当該長さ方向をベッドの縦断方向または横断方向に合わせた状態で、ベッドのマット上面またはシーツ表面に止着すると共に、
第２の帯状部材の長さ方向に対向する端部を、当該長さ方向を前記第１の帯状部材の長さ方向とほぼ直交する方向に合わせた状態で、枕または枕カバーに止着し、
少なくとも一方の帯状部材の前記止着する部分の内、少なくとも一端部側を着脱自在に構成して、
幅および非止着部分の長さが、枕の、ベッド縦断方向の変位を許容すると共に、横断方向の変位を規制するような値に設定されてなる前記両帯状部材の内、前記一方の帯状部材の前記一端部側を他方の帯状部材に挿通した上で止着することにより枕をベッドに係止することを特徴とする枕の係止方法。
【発明の詳細な説明】
【０００１】
【発明の属する技術分野】
本発明は、枕をベッドに係止する係止具および係止方法に関し、例えば、介護用ベッドに枕を取り付けるための係止具および係止方法に関する。
【０００２】
【従来の技術】
高齢化社会を迎え、近年、種々の機能を備えた介護用ベッドが開発されている。例えば、背上げ・膝上げ・高さ調整などが行なえる、いわゆるギャッチベッドなどがその一つに挙げられる。
また、被介護者の床擦れを防止するものとして、マット面を被介護者の左右方向に傾斜させることができる介護用ベッドも開発されている。当該介護用ベッドは、被介護者の背中がマット面に接触した状態のまま、被介護者が体圧を受ける位置を移動させることにより床擦れを防止するものである。なお、本明細書において、マット面を被介護者の左向きまたは右向きに傾斜させることを「ローリング」と言うこととする。
【０００３】
【特許文献１】
登録実用新案第３０４８７５４号公報
【０００４】
【発明が解決しようとする課題】
ところで、寝たきりになっている被介護者の中には、頸部の筋力が低下している人もいる。このような人の場合、上記介護用ベッドでは、ローリングによってマット面が傾斜すると頭部を支えきれずに枕ごとマット面の傾斜の向きに当該頭部が傾いてしまい、頭部を安定して支持することが困難となる。
【０００５】
これに対処するため、枕をシーツあるいはマットに固定することが考えられるが、そうすると、背上げをした場合に下記の不都合が生じる。すなわち、背上げをすると、頭部がシーツおよびマットに対して相対的に変位するため、シーツまたはマットに固定した枕と頭部とがずれてしまい、このとき、被介護者は、後頭部が枕に引っ張られて生じる引きつれ感といった不快感を感じてしまう。
【０００６】
本発明は、上記した課題に鑑み、背上げ機能およびローリング機能を有するベッドで用いられる枕を、上記した問題をほぼ解消した形で、当該ベッドに係止する係止具、枕側係止具およびベッド側係止具並びに枕の係止方法を提供することを目的とする。
【０００７】
【課題を解決するための手段】
上記の目的を達成するため、本発明に係る枕係止具は、ベッドのマット上面またはシーツ表面に設けられ、ベッドの縦断方向または横断方向に対向する端部が前記マット上面またはシーツ表面に止着された第１の帯状部材と、前記第１の帯状部材と前記マットまたはシーツとの間隙に挿通され、挿通方向に対向する端部が、枕または枕カバーのベッド載置側外周面に止着された第２の帯状部材とからなり、前記両帯状部材の幅および非止着部分の長さが、枕の、ベッド縦断方向の変位を許容すると共に、横断方向の変位を規制するような値に設定されていることを特徴とする。
【０００８】
また、ベッド縦断方向に許容される前記変位の量として、ベッドを背上げした際に、少なくとも頭部がマットまたはシーツに対して変位する変位量分確保されていることを特徴とする。
さらに、前記第２の帯状部材の一方端部が、縫合または接着によって前記外周面に止着されており、他方端部が着脱自在な止着手段によって前記外周面に止着されていることを特徴とする。
【０００９】
上記の目的を達成するため、本発明に係る枕側係止具は、ベッドのマット上面またはシーツ表面に設けられ、ベッドの縦断方向または横断方向に対向する端部が前記マット上面またはシーツ表面に止着された帯状部材からなるベッド側係止具と係合される枕側係止具であって、前記帯状部材と前記マットまたはシーツとの間隙に挿通され、挿通方向に対向する端部が、枕または枕カバーのベッド載置側外周面に止着された帯状部材からなり、当該枕側係止具である帯状部材の幅および非止着部分の長さが、前記ベッド側係止具である帯状部材の幅および非止着部分の長さとの関係において、枕の、ベッド縦断方向の変位を許容すると共に、横断方向の変位を規制するような値に設定されていることを特徴とする。
【００１０】
上記の目的を達成するため、本発明に係るベッド側係止具は、枕または枕カバーのベッド載置側外周面に設けられ、ベッドの縦断方向または横断方向に対向する端部が前記外周面に止着された帯状部材からなる枕側係止具と係合されるベッド側係止具であって、前記帯状部材と前記枕または前記枕カバーとの間隙に挿通され、挿通方向に対向する端部が、マット上面またはシーツ表面に止着された帯状部材からなり、当該ベッド側係止具である帯状部材の幅および非止着部分の長さが、前記枕側係止具である帯状部材の幅および非止着部分の長さとの関係において、枕の、ベッド縦断方向の変位を許容すると共に、横断方向の変位を規制するような値に設定されていることを特徴とする。
【００１１】
上記の目的を達成するため、本発明に係る枕の係止方法は、第１の帯状部材の長さ方向に対向する端部を、当該長さ方向をベッドの縦断方向または横断方向に合わせた状態で、ベッドのマット上面またはシーツ表面に止着すると共に、第２の帯状部材の長さ方向に対向する端部を、当該長さ方向を前記第１の帯状部材の長さ方向とほぼ直交する方向に合わせた状態で、枕または枕カバーに止着し、少なくとも一方の帯状部材の前記止着する部分の内、少なくとも一端部側を着脱自在に構成して、幅および非止着部分の長さが、枕の、ベッド縦断方向の変位を許容すると共に、横断方向の変位を規制するような値に設定されてなる前記両帯状部材の内、前記一方の帯状部材の前記一端部側を他方の帯状部材に挿通した上で止着することにより枕をベッドに係止することを特徴とする。
【００１２】
【発明の実施の形態】
以下、本発明の実施の形態について、図面を参照しながら説明する。
図１は、枕１０および当該枕１０に被せられる枕カバー１２を示す斜視図である。
枕１０は、長さＬ１が少なくとも人の肩幅程度ある長形枕である。枕の長さ方向の、頭部が載る中央部分には、凹部１４が設けられている。別の言い方をすると、前記中央部分に対して、長さ方向両側に膨出部１６，１８が設けられている。
【００１３】
上記のような形状をした枕１０に被せられる枕カバー１２は、有底筒状をしている。枕カバー１２は、矢印の向きに、枕１０の長さ方向一端部が底部に至るまで完全に被せられる。枕カバー１２の全長Ｌ２は、枕１０の全長Ｌ１よりもＬ４だけ長くなっている。枕カバー１２は、枕１０に完全に被せられた状態で、そのＬ４部分が折り返され、さらに、折り返しの際に外側となった半分が反転されて、枕１０へ取付けられる。
【００１４】
図２は、枕カバー１２を図１に示すのとは反対側から見た図である。すなわち、図２には、枕カバー１２の、枕１０の底部側（ベッド載置面側）となる部分が現われている。枕カバー１２のベッド載置側外周面には、帯状部材である止め帯（以下、「枕側止め帯」と言う。）２０が取付けられている。枕側止め帯２０は、幅Ｗ２、長さＬ５であり、当該幅方向と枕カバー１２（および枕１０）の長さ方向が一致する向きに取付けられている。
【００１５】
枕側止め帯２０は、その長さ方向に対向する一方端部（参照符号２２で示す部分）が縫合或いは接着によって枕カバー１２に止着されている。他方端部は、面状ファスナー２４によって止着される。すなわち、当該他方端部には面状ファスナーのフック側部材２６が縫着（または、貼着）され、枕カバー１２側には、面状ファスナーのループ側部材２８が縫着（または、貼着）されていて、両部材を噛み合わせることによって止着されるようになっている。
【００１６】
なお、ループ側部材２８は、フック側部材２６と噛み合った状態で、枕カバー１２と枕側止め帯２０の双方に弛みが生じないような位置に縫着（または、貼着）されている。すなわち、図２に示す長さＬ６と長さＬ７とがほぼ同じ長さとなるように設定されている。この長さＬ６が、枕側止め帯２０が面状ファスナー２４によって枕カバー１２に止着された状態における、当該枕側止め帯２０の非止着部分の長さとなる。
【００１７】
また、当該非止着部分の長さＬ６は、枕１０の幅Ｗ１（図１参照）とほぼ一致させている。枕カバー１２は、Ｌ６に対応する部分に枕１０の底部がくるように、当該枕１０に被せられる。
一方、図３に示すように、介護ベッド３０のマット３２に掛けられたシーツ３４には、前記枕側止め帯２０と係合されるベッド側止め帯３６が設けられている。介護ベッド３０は、ヘッドボード３８とフットボード４０との間にマット３２が設けられ、当該マット３２にいわゆる箱型のシーツ３４が掛けられた構成を有している。マット３２は、介護ベッド３０の長さ方向（縦断方向）に３分割されている（分割の様子は不図示）。マット３２は、分割された各分割マット毎に変位させることができるマット変位機構（不図示）に支持されており、当該マット変位機構によって、いわゆる背上げ、膝上げ、および高さ調整が行なえるようになっている。また、当該マット変位機構は、被介護者の床擦れ防止のため、マット３２全体を被介護者の左向きまたは右両向きに傾けるローリング機能を有している。
【００１８】
前記ベッド側止め帯３６は、長さＬ８、幅Ｗ３の帯状部材であり、長さ方向がベッドの幅方向（横断方向）に合わせて設けられている。ベッド側止め帯３６は、ベッド横断方向に対向する両端部が、シーツ３４に、縫合によって止着（縫着）されており、止着されていない非止着部分の長さがＬ９となっている。当該非止着部分の長さＬ９は、前記枕側止め帯２０の幅Ｗ２とほぼ同じ長さに設定されている。また、ベッド側止め帯３６の幅Ｗ３よりも、前記枕側止め帯２０の非止着部の長さＬ６の方が長く設定されている。
【００１９】
図４は、ベッド３０に枕１０が係止された状態、すなわち、ベッド３０のマット３２に掛けられたシーツ３４に止着されたベッド側止め帯３６に、枕１０に被せられた枕カバー１２に止着された枕側止め帯２０が係合した状態を示す図である。なお、説明の便宜上、図４では、枕カバー１２の図示は省略し、枕１０は二点鎖線で描いている。
【００２０】
枕１０には、先ず、上述したように枕カバー１２を取付ける（被せる）。そして、枕側止め帯２０を、ベッド側止め帯３６とシーツ３４との間隙に挿通する。この際、枕側止め帯２０は、縫着部２２がヘッドボード３８側に、フック側部材２６がフットボード４０側になるように挿通する。挿通後、フック側部材２６とループ側部材２８とを噛み合わせて、取付けが完了する。
【００２１】
枕１０は、上記のようにしてベッド３０に取付けられているので、ベッド３０をローリングさせても、枕１０がその傾斜方向にほとんどずれない。枕側止め帯２０の幅Ｗ２とベッド側止め帯３６の非止着部分の長さＬ９とがほぼ同じ長さに設定されているため、枕カバー１２ひいては枕１０のベッド横断方向への変位が規制されるからである。換言すると、枕側止め帯２０の幅Ｗ２とベッド側止め帯３６の非止着部分の長さＬ９とが、枕カバー１２および枕１０のベッド横断方向への変位を規制するような値（ほぼ同じ長さに）に設定されているからである。その結果、頸部の筋力が低下している人であっても、ローリング時に枕ごと頭部がずれてしまうといった事態を防止することができる。また、枕１０は、上述したように中央に凹部１４が、その両側に膨出部１６，１８が設けられているため、頭部が枕１０に効果的に保持されることとなり、ローリングの際、頭部の枕にたいするずれ防止が図られることとなる。
【００２２】
一方、図５に示すようにベッド３０を背上げさせた場合（図５では、膝上げも同時に若干行なわれている）、たとえ頭部がマット３２（シーツ３４）に対し相対的に変位したとしても、枕１０も頭部の変位に合わせて移動することが可能となっている。ベッド側止め帯３６の幅Ｗ３よりも枕側止め帯２０の非止着部分の長さＬ６が長く設定されているため、枕カバー１２ひいては枕１０のベッド縦断方向への変位が許容されるからである。その結果、頭部が枕１０（枕カバー１２）に引っ張られて生じる引き連れ感が軽減される。
【００２３】
枕１０（枕カバー１２）のベッド縦断方向に許容される変位量（以下、「許容変位量」と言う。）、すなわち、ベッド側止め帯３６の幅Ｗ３と枕側止め帯２０の非止着部分の長さＬ６との差は１０ｃｍに設定されている。ベッド３０の最大背上げ角度αは７０°なのであるが、フラットな状態から当該最大角度分背上げした場合に生じる、頭部のマット（シーツ）に対する相対変位量について実測したところ７〜８ｃｍであった。そこで、この実測値に少し余裕をもたせて、上記１０ｃｍとしたのである。なお、言うまでもなく、許容変位量は１０ｃｍに限らない。要は、ベッドを背上げした際に、少なくとも頭部がマット（シーツ）に対して変位する変位量分確保されていればよいのである。
【００２４】
背上げをした場合、頭部はマット（シーツ）に対して、相対的にヘッドボード３８の向きに変位する。ベッド側止め帯３６はシーツ３４に対して、上記した頭部の変位に合わせて、枕１０（枕カバー１２）が変位できるような位置に止着すされている。すなわち、ベッドのマット面がフラットな状態において非介護者の頭部がくる位置に枕を載置したときに、図６（ａ）に示すように、枕側止め帯２０がベッド側止め帯３６に対し、フットボード側いっぱいにスライドした状態となるような位置にベッド側止め帯３６が止着されている。
【００２５】
そして、ベッドを背上げしていくと、上述したように頭部はシーツ（マット）に対しヘッドボード側へ変位するのであるが、これに伴って、枕１０（枕カバー１２）も矢印Ａの向き（ヘッドボードへ向かう向き）にスライドすることとなる。
この際、枕１０の長さは少なくとも非介護者の肩幅程度あるため、枕１０は非介護者の肩によっても押される形となり、より円滑に枕１０がスライドすることとなる。
【００２６】
また、背上げをした場合、非介護者が背上げ角度以上に上体を起こして、非介護者の頭部が枕１０から離れ、また、非介護者の背中がシーツ（マット）から離れる場合があるが、このような場合であっても、枕１０は図６（ａ）に示す状態までスライドするに留まり、落下してしまうことはない。また、枕側止め帯２０は、縫着部２２がヘッドボード３８側に、フック側部材２６がフットボード４０側にくるようにベッド側止め帯３６に挿通されている。こうすることによって、これとは、逆向きに挿通した場合に生じ得る、上記スライドの際の衝撃による面状ファスナー２４のはずれが防止される。
【００２７】
なお、枕１０（枕カバー１２）が滑らかにスライドできるように、枕側止め帯２０とベッド側止め帯３６に使用する生地は互いに摺動性の良いものの組合せ、例えば、両方をシルク地とすることが好ましい。また、上記と同様の目的から、枕カバー１２とシーツ３４も互いに摺動性のよい生地の組合せとすることが好ましい。しかしながら、摺動性のよい生地は、必ずしも、枕カバーやシーツ本来の目的に最適なもの（例えば、木綿）とは限らないので、枕カバー全体やシーツ全体をそのような生地にすることには少々問題がある。そこで、少なくとも枕カバーの枕底部に対応する領域部分とシーツの枕がスライドする範囲に対応する領域部分だけを、互いに摺動性のよい生地の組合せとすることが好ましい。すなわち、少なくとも上記領域部分をそれ以外の領域の生地よりも摺動性のよい生地とするのである。
【００２８】
また、枕１０の表面と枕カバー１２の内面（裏生地）との間も良好な摺動性を確保することが好ましい。背上げの際、何らかの原因で枕１０（枕カバー１２）が滑らかにスライドしなかった場合には、頭部が枕カバー１２（枕１０）に引っ張られることとなり、引き連れ感が生じるのであるが、上記のようにしておくことにより、枕カバー１２が枕１０に対して相対的にずれて、上記引き連れ間が緩和されるからである。
【００２９】
以上、本発明を実施の形態に基づいて説明してきたが、本発明は上記した形態に限らないことは勿論であり、例えば、以下の形態とすることも可能である。
（１）上記実施の形態では、ベッド側止め帯の長さ方向をベッド横断方向に合わせ、当該ベッド側止め帯のベッド横断方向に対向する端部をシーツ表面に止着することとし、これに対応させて、枕側止め帯の長さ方向を枕（枕カバー）の幅方向（ベッド縦断方向）に合わせ、当該枕側止め帯のベッド縦断方向に対向する端部を枕カバーに止着することとしたが、両止め帯を設ける向きの関係を上記と逆にしても構わない。
【００３０】
すなわち、ベッド側止め帯の長さ方向をベッド縦断方向に合わせ、当該ベッド側止め帯のベッド縦断方向に対向する端部をシーツ表面に止着することとし、これに対応させて、枕側止め帯の長さ方向を枕（枕カバー）の長手方向（ベッド横断方向）に合わせ、当該枕側止め帯のベッド横断方向に対向する端部を枕カバーに止着することとしても構わない。この場合、枕の、ベッド縦断方向の変位を許容すると共に、横断方向の変位を規制するために、枕側止め帯の非止着部分の長さとベッド側止め帯の幅とがほぼ同じ値に設定され、ベッド側止め帯の非止着部分の長さが枕側止め帯の幅よりも許容変位量分長く設定される。
（２）上記実施の形態では、枕側係止具である枕側止め帯を枕カバーに設けたが、枕に設けることとしてもよい。枕に設けることとした場合であって、枕カバーを使用する場合には、枕側止め帯が挿通できるようなスリット状の窓を当該枕カバーに設け、当該窓を介して、枕側止め帯を枕カバーの外側に出すようにすることとする。
（３）上記実施の形態では、ベッド側係止具であるベッド側止め帯をシーツに設けることとしたが、マットに設けることとしてもよい。マットに設けることとした場合には、シーツに窓を開け、当該窓を介してベッド側止め帯が露出するようにする。
（４）上記実施の形態では、枕側止め帯の一端部を、着脱自在な止着手段として面状ファスナーを用いて止着したが、当該着脱自在な止着手段は、面状ファスナーに限らない。例えば、ボタン、ジッパーなどを用いてもよい。
（５）上記実施の形態では、枕側止め帯の一端部側のみを面状ファスナーで着脱自在に構成することとしたが、両端部側を着脱自在に構成することとしても構わない。
【００３１】
また、上記実施の形態では、ベッド側止め帯は、両端部側ともに縫合または接着により止着（固着）することとしたが、これに限らず、枕側止め帯と同様に、一端部側または両端部側共に、着脱自在に構成することとしても構わない。
要は、両止め帯の内、少なくとも一方の止め帯の少なくとも一端部側が着脱自在に構成されており、当該一端部側を他方の止め帯に挿通した上で、止着するようにできればよいのである。
【００３２】
【発明の効果】
以上説明したように、本発明に係る枕係止具によれば、枕の、ベッド縦断方向の変位が許容され、横断方向の変位が規制されるので、ベッドがローリングされた場合であっても、頭部が枕ごとずれるのが防止できると共に、ベッドが背上げされた場合であっても、枕がベッド縦断方向に変位され得るので、頭部が枕に引っ張られて生じる引き連れ感が軽減される。
【００３３】
また、本発明に係る枕側係止具、ベッド側係止具、および枕の係止方法によれば、上記と同様の効果が得られる。
【図面の簡単な説明】
【図１】枕および枕カバーの概略形状を示す斜視図である。
【図２】枕カバーおよび枕側止め帯を示す図である。
【図３】ベッドおよび当該ベッドのシーツに設けられるベッド側止め帯を示す図である。
【図４】上記枕側止め帯と上記ベッド側止め帯とが係合した状態を示す図である。
【図５】背上げ状態を示す図である。
【図６】上記枕側止め帯と上記ベッド側止め帯とが係合した状態を示す図である。
【符号の説明】
１０　　枕
１２　　枕カバー
２０　　枕側止め帯
２２　　縫着部
２４　　面状ファスナー
３０　　ベッド
３２　　マット
３４　　シーツ
３６　　ベッド側止め帯
Ｌ６　　枕側止め帯の非止着部分の長さ
Ｌ９　　ベッド側止め帯の非止着部分の長さ
Ｗ２　　枕側止め帯の幅
Ｗ３　　ベッド側止め帯の幅
【図１】
2004097242.tif 000003
【図２】
2004097242.tif 000004
【図３】
2004097242.tif 000005
【図４】
2004097242.tif 000006
【図５】
2004097242.tif 000007
【図６】
2004097242.tif 000008